(57)【要約】【課題】車両がカーブを安定して通過できないと予測される場合において車両を効果的に減速し得るアンダステア抑制制御を達成する車両安定化制御装置を提供すること。【解決手段】ナビゲーション装置の地図情報に基づくカーブ形状と、現在の車速とに基づいて、カーブ進入前後において、車両がカーブを安定して通過できる可能性（Ｆｇ）が判定される。車両がカーブを適切に通過できると判定された場合（Ｆｇ＝０）、アンダステア抑制制御の開始しきい値Ｋｊが大きい値（デフォルト値Ｋ２）に設定され、且つ、車両のヨー特性が重視されるように各車輪の制動力が配分される第１特性（デフォルト特性Ｂｍ**）が選択される。一方、車両がカーブを適切に通過できないと判定された場合（Ｆｇ＝１）、しきい値Ｋｊが相対的に小さい値（Ｋ１）に調整され、且つ、車両の減速特性が重視されるように各車輪の制動力が配分される第２特性（Ｂｇ**）が選択される。【選択図】図７
2010105453.tif 000002
【特許請求の範囲】
【請求項１】
車両の実際の旋回状態を表す実旋回状態量を取得する実旋回状態量取得手段と、
前記実旋回状態量に基づいて、前記車両のアンダステアが抑制されるように前記車両の各車輪の制動力を制御するための前記各車輪の目標制御量を演算する制御量演算手段と、
前記各車輪の目標制御量に基づいて前記各車輪の制動力を制御する制御手段と、
を備えた車両安定化制御装置であって、
前記車両の進行方向前方にあるカーブの形状を取得するカーブ情報取得手段と、
前記車両の速度を取得する車速取得手段と、
前記カーブ形状と前記車両の速度とに基づいて、前記車両が前記カーブを安定して通過できる可能性を判定するカーブ通過可否判定手段と、
を備え、
前記制御量演算手段は、
前記車両が前記カーブを安定して通過できる可能性に応じて前記各車輪の目標制御量を調整するように構成された車両安定化制御装置。
【請求項２】
請求項１に記載の車両安定化制御装置において、
前記カーブ通過可否判定手段は、
前記カーブ形状と前記車両の速度とに基づいて、前記車両に作用する横加速度を演算するとともに、前記演算された横加速度に基づいて前記車両が前記カーブを安定して通過できる可能性を判定するように構成された車両安定化制御装置。
【請求項３】
請求項２に記載の車両安定化制御装置において、
前記カーブ通過可否判定手段は、
前記演算された横加速度が第１所定値以下の場合、前記車両が前記カーブを安定して通過できると判定し、
前記演算された横加速度が前記第１所定値よりも大きい場合、前記演算された横加速度と前記第１所定値との差が大きいほど前記車両が前記カーブを安定して通過できる可能性が低くなるように前記可能性を判定し、
前記演算された横加速度が前記第１所定値よりも大きい第２所定値以上の場合、前記車両が前記カーブを安定して通過できないと判定するように構成された車両安定化制御装置。
【請求項４】
請求項２に記載の車両安定化制御装置において、
前記カーブ通過可否判定手段は、
前記演算された横加速度が第３所定値以下の場合、前記車両が前記カーブを安定して通過できると判定し、
前記演算された横加速度が前記第３所定値よりも大きい場合、前記車両が前記カーブを安定して通過できないと判定するように構成された車両安定化制御装置。
【請求項５】
請求項１に記載の車両安定化制御装置であって、
前記カーブ情報取得手段は、前記カーブ形状に対応する前記カーブ内の位置を取得するように構成されていて、
前記車両の位置を取得する車両位置取得手段と、
前記カーブ形状に対応する位置、前記カーブ形状、及び前記車両位置に基づいて、前記車両が前記カーブを安定して通過するための目標車速を演算する目標車速演算手段と、
を備え、
前記カーブ通過可否判定手段は、
前記目標車速と前記車両の速度との比較結果に基づいて、前記車両が前記カーブを安定して通過できる可能性を判定するように構成された車両安定化制御装置。
【請求項６】
請求項５に記載の車両安定化制御装置において、
前記カーブ通過可否判定手段は、
前記車両の速度から前記目標車速を減じて得られる車速偏差が第４所定値以下の場合、前記車両が前記カーブを安定して通過できると判定し、
前記車速偏差が前記第４所定値よりも大きい場合、前記車速偏差が大きいほど前記車両が前記カーブを安定して通過できる可能性が低くなるように前記可能性を判定し、
前記車速偏差が前記第４所定値よりも大きい第５所定値以上の場合、前記車両が前記カーブを安定して通過できないと判定するように構成された車両安定化制御装置。
【請求項７】
請求項５に記載の車両安定化制御装置において、
前記カーブ通過可否判定手段は、
前記車両の速度から前記目標車速を減じて得られる車速偏差が第６所定値以下の場合、前記車両が前記カーブを安定して通過できると判定し、
前記車速偏差が前記第６所定値よりも大きい場合、前記車両が前記カーブを安定して通過できないと判定するように構成された車両安定化制御装置。
【請求項８】
請求項１乃至請求項７の何れか一項に記載の車両安定化制御装置であって、
前記車両の操向車輪の舵角に相当する値を取得する舵角取得手段と、
前記車両の速度と前記舵角に相当する値とに基づいて、前記実旋回状態量に対応する目標旋回状態量を演算する目標旋回状態量演算手段と、
前記目標旋回状態量と前記実旋回状態量とを比較することで前記車両のステア特性を表すステア特性値を演算するステア特性値演算手段と、
を備え、
前記制御量演算手段は、
前記ステア特性値がしきい値以下の場合に前記各車輪の目標制御量をゼロに演算し、前記ステア特性値が前記しきい値よりも大きい場合に前記各車輪の目標制御量をゼロより大きい値に演算するとともに、
前記車両が前記カーブを安定して通過できる可能性が低いほど、前記しきい値をより小さい値に設定するように構成された車両安定化制御装置。
【請求項９】
請求項１乃至請求項８の何れか一項に記載の車両安定化制御装置において、
前記制御量演算手段は、
前記各車輪の目標制御量の演算について、前記車両の減速よりも前記車両へのヨーモーメントの付与を優先する第１演算特性と、前記車両へのヨーモーメントの付与よりも前記車両の減速を優先する第２演算特性と、を備えるとともに、
前記車両が前記カーブを安定して通過できる可能性が高い場合には前記第１演算特性を使用して前記各車輪の目標制御量を演算し、前記車両が前記カーブを安定して通過できる可能性が低い場合には前記第２演算特性を使用して前記各車輪の目標制御量を演算するように構成された車両安定化制御装置。
【発明の詳細な説明】
【技術分野】
【０００１】
本発明は、車両の安定化制御装置に関し、特に、車両のアンダステアを抑制するために各車輪の制動力を制御するものに係わる。
【背景技術】
【０００２】
従来より、車両がカーブを走行中において、車両のアンダステアの程度がしきい値を超えた場合、車両が減速するように、及び／又は、アンダステアを抑制する方向のヨーモーメントが車両に発生するように各車輪の制動力を制御するアンダステア抑制制御を実行する車両安定化制御装置（アンダステア抑制制御装置）が広く知られている（例えば、特許文献１を参照）。
【特許文献１】特開２００４−６６９４０号公報
【発明の開示】
【０００３】
アンダステア抑制制御において、「アンダステアの程度に対する各車輪の制動力の特性」（具体的には、上記しきい値そのもの、アンダステアの程度の増加に対する各車輪の制動力の増加態様、車両減速とヨーモーメント付与との優先度合等）は、種々の実験、シミュレーション等を通して、種々の状況を想定した上で決定される。一般には、「アンダステアの程度に対する各車輪の制動力の特性」は、一律の特性（通常特性）に決定される場合が多い。
【０００４】
ところで、車両がカーブに進入する前後において、ナビゲーション装置の地図情報に基づくカーブ情報（カーブ形状）を利用すれば、このカーブ形状と現在の車速とに基づいて、車両がカーブを安定して通過できる可能性を判定することができる。
【０００５】
この判定により、車両がカーブを安定して通過できない、或いは通過できる可能性が低いことが予め予測できる場合、車両を早期に減速しておくことが好ましい。この減速をアンダステア抑制制御で達成するためには、「アンダステアの程度に対する各車輪に付与される制動力の特性」を、通常特性に代えて、制御がより早期に開始される特性、及び／又は、ヨーモーメント付与に対する車両減速の優先度合がより高い特性に変更されることが好ましいと考えられる。
【０００６】
本発明の目的は、車両がカーブを安定して通過できないと予測される場合において車両を効果的に減速し得るアンダステア抑制制御を達成する車両安定化制御装置を提供することにある。
【０００７】
本発明に係る車両安定化制御装置は、車両の実際の旋回状態を表す実旋回状態量（Ｔａ，Ｙｒ）を取得する実旋回状態量取得手段と、前記実旋回状態量（Ｔａ，Ｙｒ）に基づいて前記車両のアンダステアが抑制されるように前記車両の各車輪（ＷＨ**）の制動力を制御するための前記各車輪の目標制御量（Ｂｔ**）を演算する制御量演算手段と、前記各車輪の目標制御量（Ｂｔ**）に基づいて前記各車輪の制動力を制御する制御手段とを備える。
【０００８】
本発明に係る車両安定化制御装置は、更に、前記車両の進行方向前方にあるカーブの形状（Ｒｃ）を取得するカーブ情報取得手段と、前記車両の速度（Ｖｘ）を取得する車速取得手段と、前記カーブ形状（Ｒｃ）と前記車両の速度（Ｖｘ）とに基づいて、前記車両が前記カーブを安定して通過できる可能性（Ｆｇ）を判定するカーブ通過可否判定手段とを備える。この判定は、車両が直線路からカーブに進入する前後（車両がカーブ入口を通過する前後）において実行され得る。
【０００９】
ここにおいて、前記カーブ通過可否判定手段は、前記カーブ形状（Ｒｃ）と前記車両の速度（Ｖｘ）とに基づいて、前記車両に作用する横加速度（Ｇｙｅ）を演算するとともに、前記演算された横加速度（Ｇｙｅ）に基づいて前記車両が前記カーブを安定して通過できる可能性（Ｆｇ）を判定するように構成され得る。ここで、横加速度の演算において、「車両の速度」としては、現在の速度が使用され得、「カーブ形状」としては、カーブ内の最小曲率半径が使用され得る。
【００１０】
この場合、具体的には、前記カーブ通過可否判定手段は、前記演算された横加速度（Ｇｙｅ）が第１所定値（Ｇｙ１）以下の場合、前記車両が前記カーブを安定して通過できる（Ｆｇ＝０）と判定し、前記演算された横加速度（Ｇｙｅ）が前記第１所定値（Ｇｙ１）よりも大きい場合、前記演算された横加速度（Ｇｙｅ）と前記第１所定値（Ｇｙ１）との差が大きいほど前記車両が前記カーブを安定して通過できる可能性が低くなるように前記可能性（０＜Ｆｇ＜１）を判定し、前記演算された横加速度（Ｇｙｅ）が前記第１所定値（Ｇｙ１）よりも大きい第２所定値（Ｇｙ２）以上の場合、前記車両が前記カーブを安定して通過できない（Ｆｇ＝１）と判定するように構成されることが好適である。
【００１１】
また、前記カーブ通過可否判定手段は、前記演算された横加速度（Ｇｙｅ）が第３所定値（Ｇｙ３）以下の場合、前記車両が前記カーブを安定して通過できる（Ｆｇ＝０）と判定し、前記演算された横加速度（Ｇｙｅ）が前記第３所定値（Ｇｙ３）よりも大きい場合、前記車両が前記カーブを安定して通過できない（Ｆｇ＝１）と判定するように構成され得る。
【００１２】
また、前記カーブ情報取得手段が前記カーブ形状（Ｒｃ）に対応する前記カーブ内の位置（Ｐｃ）を取得するように構成される場合においては、車両安定化制御装置が、前記車両の位置（Ｐｖｈ）を取得する車両位置取得手段と、前記カーブ形状（Ｒｃ）に対応する位置（Ｐｃ）、前記カーブ形状（Ｒｃ）、及び前記車両位置（Ｐｖｈ）に基づいて、前記車両が前記カーブを安定して通過するための目標車速（Ｖｔ）を演算する目標車速演算手段とを備え、前記カーブ通過可否判定手段は、前記目標車速（Ｖｔ）と前記車両の速度（Ｖｘ）との比較結果に基づいて、前記車両が前記カーブを安定して通過できる可能性（Ｆｇ）を判定するように構成され得る。
【００１３】
この場合、具体的には、前記カーブ通過可否判定手段は、前記車両の速度（Ｖｘ）から前記目標車速（Ｖｔ）を減じて得られる車速偏差（ΔＶ）が第４所定値（Ｖ１）以下の場合、前記車両が前記カーブを安定して通過できる（Ｆｇ＝０）と判定し、前記車速偏差（ΔＶ）が前記第４所定値（Ｖ１）よりも大きい場合、前記車速偏差（ΔＶ）が大きいほど前記車両が前記カーブを安定して通過できる可能性が低くなるように前記可能性（０＜Ｆｇ＜１）を判定し、前記車速偏差（ΔＶ）が前記第４所定値（Ｖ１）よりも大きい第５所定値（Ｖ２）以上の場合、前記車両が前記カーブを安定して通過できない（Ｆｇ＝１）と判定するように構成されることが好適である。
【００１４】
また、前記カーブ通過可否判定手段は、前記車両の速度（Ｖｘ）から前記目標車速（Ｖｔ）を減じて得られる車速偏差（ΔＶ）が第６所定値（Ｖ３）以下の場合、前記車両が前記カーブを安定して通過できる（Ｆｇ＝０）と判定し、前記車速偏差（ΔＶ）が前記第６所定値（Ｖ３）よりも大きい場合、前記車両が前記カーブを安定して通過できない（Ｆｇ＝１）と判定するように構成され得る。
【００１５】
本発明に係る車両安定化制御装置の特徴は、前記制御量演算手段が、前記車両が前記カーブを安定して通過できる可能性（Ｆｇ）に応じて前記各車輪の目標制御量（Ｂｔ**）を調整するように構成されたことにある。これによれば、車両がカーブを安定して通過できない、或いは、通過できる可能性が低いことが予め予測できる場合において、アンダステア抑制制御を利用して、車両を効果的に減速することができる。
【００１６】
具体的には、例えば、車両安定化制御装置が、前記車両の操向車輪（ＷＨf*）の舵角に相当する値（θｓｗ，δｆ）を取得する舵角取得手段と、前記車両の速度（Ｖｘ）と前記舵角に相当する値（θｓｗ，δｆ）とに基づいて前記実旋回状態量（Ｔａ，Ｙｒ）に対応する目標旋回状態量（Ｔｄ，Ｙｒｄ）を演算する目標旋回状態量演算手段と、前記目標旋回状態量（Ｔｄ，Ｙｒｄ）と前記実旋回状態量（Ｔａ，Ｙｒ）とを比較することで前記車両のステア特性を表すステア特性値（Ｓｃｈ，ΔＹｒ）を演算するステア特性値演算手段とを備えていて、前記制御量演算手段が、前記ステア特性値（Ｓｃｈ，ΔＹｒ）がしきい値（Ｋｊ）以下の場合に前記各車輪の目標制御量（Ｂｔ**）をゼロに演算し、前記ステア特性値（Ｓｃｈ，ΔＹｒ）が前記しきい値（Ｋｊ）よりも大きい場合に前記各車輪の目標制御量（Ｂｔ**）をゼロより大きい値に演算するように構成されている場合において、前記制御量演算手段が、前記車両が前記カーブを安定して通過できる可能性（Ｆｇ）が低いほど、前記しきい値（Ｋｊ）をより小さい値に設定するように構成されることが好適である。
【００１７】
これによれば、車両がカーブを安定して通過できる可能性が低いほど、アンダステア抑制制御が開始され易くなり、従って、アンダステア抑制制御がより早期に開始される。この結果、アンダステア抑制制御を利用して、車両を効果的に減速することができる。
【００１８】
或いは、前記制御量演算手段は、前記各車輪の目標制御量（Ｂｔ**）の演算について、前記車両の減速よりも前記車両へのヨーモーメントの付与を優先する第１演算特性（Ｂｍ**演算特性）と、前記車両へのヨーモーメントの付与よりも前記車両の減速を優先する第２演算特性（Ｂｇ**演算特性）とを備えるとともに、前記車両が前記カーブを安定して通過できる可能性（Ｆｇ）が高い場合（或いは、安定して通過できると判定された場合）（Ｆｇ≦Ｆ０）には前記第１演算特性（Ｂｍ**演算特性）を使用して前記各車輪の目標制御量（Ｂｔ**）を演算し、前記車両が前記カーブを安定して通過できる可能性（Ｆｇ）が低い場合（或いは、安定して通過できないと判定された場合）（Ｆｇ＞Ｆ０）には前記第２演算特性（Ｂｇ**演算特性）を使用して前記各車輪の目標制御量（Ｂｔ**）を演算するように構成されることが好適である。
【００１９】
これによれば、車両がカーブを安定して通過できる可能性が低い場合（或いは、安定して通過できない）と判定された場合、ヨーモーメント付与よりも車両減速を優先する特性をもってアンダステア制御が実行される。この結果、アンダステア抑制制御を利用して、車両を効果的に減速することができる。
【発明を実施するための最良の形態】
【００２０】
以下、本発明による車両安定化制御装置の実施形態について図面を参照しつつ説明する。
【００２１】
（構成）
図１は、本発明の実施形態に係る車両安定化制御装置（以下、「本装置」と称呼する。）を搭載した車両の概略構成を示している。本装置は、車両の動力源であるエンジンEGと、自動変速機TMと、ブレーキアクチュエータBRKと、電子制御ユニットECUと、ナビゲーション装置NAVとを備えている。
【００２２】
エンジンEGは、例えば、内燃機関である。即ち、運転者によるアクセルペダル（加速操作部材）APの操作に応じてスロットルアクチュエータTHによりスロットル弁TVの開度が調整される。スロットル弁TVの開度に応じて調整される吸入空気量に応じた量の燃料が燃料噴射アクチュエータFI（インジェクタ）により噴射される。これにより、運転者によるアクセルペダルAPの操作に応じた出力トルクが得られるようになっている。
【００２３】
自動変速機TMは、複数の変速段を有する多段自動変速機、或いは、変速段を有さない無段自動変速機である。自動変速機TMは、エンジンEGの運転状態、及びシフトレバー（変速操作部材）SFの位置に応じて、減速比（EG出力軸（＝TM入力軸）の回転速度／TM出力軸の回転速度）を自動的に（運転者によるシフトレバーSFの操作によることなく）変更可能となっている。
【００２４】
ブレーキアクチュエータBRKは、複数の電磁弁、液圧ポンプ、モータ等を備えた周知の構成を有している。ブレーキアクチュエータBRKは、非制御時では、運転者によるブレーキペダル（制動操作部材）BPの操作に応じた制動圧力（ブレーキ液圧）を車輪WH**のホイールシリンダWC**にそれぞれ供給し、制御時では、ブレーキペダルBPの操作（及びアクセルペダルAPの操作）とは独立してホイールシリンダWC**内の制動圧力を車輪毎に調整できるようになっている。
【００２５】
なお、各種記号等の末尾に付された「**」は、各種記号等が何れの車輪に関するものであるかを示していて、「fl」は左前輪、「fr」は右前輪、「rl」は左後輪、「rr」は右後輪を示している。例えば、ホイールシリンダWC**は、左前輪ホイールシリンダWCfl, 右前輪ホイールシリンダWCfr, 左後輪ホイールシリンダWCrl, 右後輪ホイールシリンダWCrrを包括的に示している。
【００２６】
本装置は、車輪WH**の車輪速度を検出する車輪速度センサWS**と、ホイールシリンダWC**内の制動圧力を検出する制動圧力センサPW**と、ステアリングホイールSWの（中立位置からの）角度を検出するステアリングホイール角度センサSAと、前輪（操向車輪）の舵角を検出する前輪舵角センサFSと、車体のヨーレイトを検出するヨーレイトセンサYRと、車体前後方向の加速度（減速度）を検出する前後加速度センサGXと、車体横方向の加速度を検出する横加速度センサGYと、エンジンEGの出力軸の回転速度を検出するエンジン回転速度センサNEと、アクセルペダル（加速操作部材）APの操作量を検出する加速操作量センサASと、ブレーキペダルBPの操作量を検出する制動操作量センサBSと、シフトレバーSFの位置を検出するシフト位置センサHSと、スロットル弁TVの開度を検出するスロットル弁開度センサTSと、操舵輪（前輪）のセルフアライニングトルクを検出するセルフアライニングトルクセンサATf*と、ステアリングホイールSWの操舵トルクを検出する操舵トルクセンサSTと、を備えている。
【００２７】
セルフアライニングトルクセンサATf*は、例えば、操舵輪のホイールリムに固着されて、ホイールリムの歪を検出することで、この歪に関する情報と歪が検出されたホイールリムの位置とに基づいて、セルフアライニングトルクを検出する。
【００２８】
電子制御ユニットECUは、パワートレイン系及びシャシー系を電子制御するマイクロコンピュータである。電子制御ユニットECUは、上述の各種アクチュエータ、上述の各種センサ、及び自動変速機TMと、電気的に接続され、又はネットワークで通信可能となっている。電子制御ユニットECUは、互いに通信バスＣＢで接続された複数の制御ユニット（ECU1〜ECU4）から構成される。
【００２９】
電子制御ユニットECU内のECU1は、車輪ブレーキ制御ユニットであり、車輪速度センサWS**、前後加速度センサGX、横加速度センサGY、ヨーレイトセンサYR等からの信号に基づいてブレーキアクチュエータBRKを制御することで、周知の車両安定化制御（ＥＳＣ制御）、アンチスキッド制御（ＡＢＳ制御）、トラクション制御（ＴＣＳ制御）等の制動圧力制御（車輪ブレーキ制御）を実行するようになっている。また、ECU1は、車輪速度センサWS**の検出結果（車輪速度Vw**）に基づいて車両速度（車速）Ｖｘを演算するようになっている。
【００３０】
電子制御ユニットECU内のECU2は、エンジン制御ユニットであり、加速操作量センサAS等からの信号に基づいてスロットルアクチュエータTH及び燃料噴射アクチュエータFIを制御することでエンジンEGの出力トルク制御（エンジン制御）を実行するようになっている。
【００３１】
電子制御ユニットECU内のECU3は、自動変速機制御ユニットであり、シフト位置センサHS等からの信号に基づいて自動変速機TMを制御することで減速比制御（変速機制御）を実行するようになっている。
【００３２】
電子制御ユニットECU内のECU4は、電動パワーステアリング制御ユニットであり、操舵トルクセンサST等からの信号に基づいて電動パワーステアリング装置EPSを制御することでパワーステアリング制御を実行するようになっている。
【００３３】
ナビゲーション装置NAVは、ナビゲーション処理装置PRCを備えていて、ナビゲーション処理装置PRCは、車両位置検出手段（グローバル・ポジショニング・システム）GPS、ヨーレイトジャイロGYR、入力部INP、記憶部MAP、及び表示部（ディスプレー）MTRと電気的に接続されている。ナビゲーション装置NAVは、電子制御ユニットECUと、電気的に接続され、又は無線で通信可能となっている。
【００３４】
車両位置検出手段GPSは、人工衛星からの測位信号を利用した周知の手法の一つにより車両の位置（緯度、経度等）を検出可能となっている。ヨーレイトジャイロGYRは、車体の角速度（ヨーレイト）を検出可能となっている。入力部INPは、運転者によるナビゲーション機能に係わる操作を入力するようになっている。記憶部MAPは、地図情報、道路情報等の各種情報を記憶している。
【００３５】
ナビゲーション処理装置PRCは、車両位置検出手段GPS、ヨーレイトジャイロGYR、入力部INP、及び記憶部MAPからの信号を総合的に処理し、その処理結果（ナビゲーション機能に係わる情報）を表示部MTRに表示するようになっている。
【００３６】
以下、図２に示す形状を有するカーブを想定しながら、上記のように構成された本装置の説明を続ける。図２に示す（１つの）カーブは、カーブ開始地点Ｃｉ（カーブ入口）からカーブ終了地点Ｃｄ（カーブ出口）に向けて順に、進入緩和曲線区間Ｚｃｉ（車両の進行に伴い曲率半径が徐々に小さくなる）、一定曲率半径区間Ｚｉｔ、及び退出緩和曲線区間Ｚｃｄ（車両の進行に伴い曲率半径が徐々に大きくなる）から構成されている。緩和曲線は、例えば、クロソイド曲線で構成される。緩和曲線区間が設けられているのは、運転者に急激なステアリングホイール操作を要求することなく、運転者がステアリングホイールを徐々に切り込み、その後徐々に切り戻すことで車両がカーブを円滑に通過できるようにするためである。
【００３７】
図３に示すように、このカーブでは、曲率半径は、カーブ開始地点Ｃｉ（即ち、直線路の終了地点）にて無限大であり、その後、徐々に小さくなり、一定曲率半径区間Ｚｉｔの開始地点ＣｓでＲｍ（カーブ内の最小曲率半径）となる。その後、曲率半径は、一定曲率半径区間Ｚｉｔの終了地点ＣｅまでＲｍに維持された後、徐々に大きくなり、カーブ終了地点Ｃｄ（即ち、直線路の開始地点）にて無限大となる。このカーブを一定の車速で車両が走行すると、旋回状態量（例えば、横加速度）は、カーブ開始地点Ｃｉにおいて「０（直線走行）」から増大を開始し、進入緩和曲線区間Ｚｃｉでは概ね比例的に増加し、一定曲率半径区間Ｚｉｔでは一定の値（最大値）となる。その後、旋回状態量は、退出緩和曲線区間Ｚｃｄにて概ね比例的に減少し、カーブ終了地点Ｃｄにおいて「０（直線走行）」となる。
【００３８】
車両が過剰な車速をもってカーブへ進入した場合を考える。運転者はカーブの進入緩和曲線に沿ってステアリングホイール角度を徐々に増大させていく。これにより、車両にアンダステアが発生するとともにアンダステアの程度が増大していく。この結果、車両が進入緩和曲線上をトレースできなくなると、運転者は更にステアリングホイールを切り増して行く。このような状況は、カーブ入口Ｃｉではなく、カーブの一定曲率半径区間Ｚｉｔの入口Ｃｓ付近で発生し易い。
【００３９】
（車両安定化制御の概要）
以下、図４を参照しながら、本装置により実行される車両安定化制御の概要について説明する。
【００４０】
先ず、実旋回状態量取得手段Ａ１では、実際の車両のヨー運動状態量（実旋回状態量Ｔａ）が取得される。実旋回状態量Ｔａは、車両に対して実際に発生しているヨー運動状態量であり、例えば、実ヨーレイトＹｒ、実横加速度Ｇｙ、実車体スリップ角βａ、実車体スリップ角速度ｄβａである。また、実旋回状態量Ｔａとして、これらのうちから２つ以上の状態量を組み合わせて得られる値が使用され得る。
【００４１】
目標旋回状態量演算手段Ａ２では、目標とする車両のヨー運動状態量（目標旋回状態量ともいう）Ｔｄが取得される。目標旋回状態量Ｔｄとしては、実旋回状態量Ｔａに対応した同じ次元の値（目標ヨーレイトＹｒｄ、目標横加速度Ｇｙｄ、目標スリップ角βｄ、目標スリップ角速度ｄβｄ）が演算される。目標旋回状態量Ｔｄは、車速Ｖｘ及びステアリングホイール角度θｓｗ（或いは、前輪舵角δｆ）に基づいて演算され得る。
【００４２】
ステア特性演算手段Ａ３では、実旋回状態量Ｔａと目標旋回状態量Ｔｄとに基づいて車両のステア特性（アンダステア、ニュートラルステア、オーバステア）が演算され、その演算結果（ステア特性値）Ｓｃｈが演算される。ステア特性値Ｓｃｈは、車両のステア特性の程度を表す値であり、目標旋回状態量Ｔｄと実旋回状態量Ｔａとを比較することで得演算され得る。ステア特性値Ｓｃｈとしては、ＴｄとＴａとの偏差（＝Ｔｄ−Ｔａ）が使用され得る。ここで、目標旋回状態量Ｔｄを使用することなくステア特性を演算することができる。例えば、実スリップ角速度ｄβａ、実スリップ角βａ等に基づいてステア特性を演算することができる。
【００４３】
目標制御量演算手段Ａ４では、ステア特性値Ｓｃｈに基づいて、車両のアンダステア、オーバステアを抑制するための、各車輪に付与される制動力の目標制御量Ｂｔ**、動力源（エンジン等）の目標出力Ｏｔが演算される。目標制御量演算手段Ａ４では、後述する判定結果Ｆｇに基づいて目標制御量Ｂｔ**が調整される。目標制御量演算手段Ａ４には、車両のアンダステアを抑制するアンダステア抑制制御ブロックと、車両のオーバステアを抑制するオーバステア抑制制御ブロックとが含まれる。
【００４４】
アンダステア抑制制御ブロックでは、ステア特性値Ｓｃｈに基づいてアンダステア抑制制御を開始する制御開始条件（制御開始しきい値Ｋｊ）が設定される。しきい値Ｋｊは、後述するカーブ通過可否判定手段Ａ８による判定結果Ｆｇに基づいて調整される。判定結果Ｆｇが「カーブ通過が可能（判定結果Ｆｇが「０」、或いは、相対的に小さい値）」となった場合、しきい値Ｋｊが大きい値に設定されて、アンダステア抑制制御が開始され難くなる。一方、判定結果Ｆｇが「カーブ通過が不可（判定結果Ｆｇが「１」、或いは、相対的に大きい値）」となった場合、しきい値Ｋｊが小さい値に修正されて、アンダステア抑制制御が小さいステア特性値Ｓｃｈで開始されるように調整される。この結果、アンダステア抑制制御が開始され易くなる。
【００４５】
また、目標制御量演算手段Ａ４では、ステア特性値Ｓｃｈに基づいて、目標制御量Ｂｔ**の演算について、車両のヨー特性を重視する（減速よりもヨーモーメント付与を優先する）第１特性（目標制御量Ｂｍ**を演算する特性）と、車両の減速特性を重視する（ヨーモーメント付与よりも減速を優先する）第２特性（目標制御量Ｂｇ**を演算する特性）の２種類の特性が備えられている。
【００４６】
第１特性では、旋回内向きに作用するヨーイングモーメントが増大して車両が進行する向きが変わり易くなるように各輪の制動力が配分される。一方、第２特性では、車両の旋回を維持するヨーイングモーメントが確保できる範囲内で各輪の制動力の総和が最大となって車両が十分に減速され得るように各輪の制動力が配分される。
【００４７】
後述するカーブ通過可否判定手段Ａ８による判定結果Ｆｇが「カーブ通過可能」となったとき（判定結果Ｆｇが「０」、或いは、相対的に小さい値のとき）、目標制御量Ｂｔ**の演算特性として第１特性が選択される。この結果、アンダステア抑制制御が開始された場合において車両のヨー運動特性が向上する。一方、判定結果Ｆｇが「カーブ通過不可」となったとき（判定結果Ｆｇが「１」、或いは、相対的に大きい値のとき）、目標制御量Ｂｔ**の演算特性として第２特性が選択される。この結果、アンダステア抑制制御が開始された場合において、車両の減速が優先されて、カーブの旋回半径を維持しつつ最大限の車両減速度が得られる。
【００４８】
制御手段Ａ５では、目標制御量演算手段Ａ４により演算された目標制御量に基づいて、動力源の出力が低減され、各車輪の制動力が独立して制御される。具体的には、目標制御量Ｂｔ**に基づいて、各車輪の制動力を制御する車輪ブレーキ制御手段Ａ５１が制御される。また、目標制御量Ｏｔに基づいて、エンジン等の動力源の出力を制御する動力源出力制御手段Ａ５２が制御される。
【００４９】
カーブ情報取得手段Ａ６では、車両の前方にあるカーブの情報Ｒｃ（カーブ形状であり、例えば曲率半径）が取得される。このとき、カーブ曲率半径Ｒｃに併せて、カーブ曲率半径Ｒｃに対応する位置Ｐｃを取得することができる。これらのカーブ情報Ｒｃ，Ｐｃは、記憶部MAPの地図データベースに記憶されている。カーブ情報として、位置Ｐｃ（例えば、緯度・経度）と、その位置におけるカーブ曲率半径Ｒｃとが直接的に記憶されていてもよいし、これらが演算できる書式が記憶されていてもよい。
【００５０】
車速取得手段Ａ７では、車両の速度Ｖｘが取得される。
【００５１】
カーブ通過可否判断手段Ａ８では、車両の進行方向前方にあるカーブの形状Ｒｃ（特に、カーブの曲率半径）と、車両の速度Ｖｘとに基づいて、車両がカーブを安定して通過できるか否かが判定される。具体的には、カーブの形状（曲率半径）から最小曲率半径Ｒｍが決定され、この最小曲率半径Ｒｍと現在の車速Ｖｘとに基づいて、横加速度Ｇｙｅ（＝Ｖｘ２／Ｒｍ）が演算される。この場合、横加速度Ｇｙｅは、車両が対象とされるカーブを車速Ｖｘ一定で通過した場合に生ずる横加速度の最大値（計算値）に相当する。
【００５２】
横加速度Ｇｙｅが所定値（例えば、０．８Ｇ）未満の場合、車両はカーブを安定して通過できると判定され得る。一方、横加速度Ｇｙｅが前記所定値以上の場合、車両はカーブを安定して通過できないと判定され得る。この所定値として、予め設定された定数を使用することもできるが、路面摩擦係数μｍａｘに基づいて決定される値を使用することもできる。
【００５３】
このカーブ通過可否判定手段Ａ８により、カーブ通過可否の判定値Ｆｇが演算され、この判定値Ｆｇが目標制御量演算手段Ａ４に出力される。判定値Ｆｇは、Ｆｇ＝０のとき「カーブ通過可能」を表し、Ｆｇ＝１のときに「カーブ通過不能」を表す。また、判定値Ｆｇは、「０」又は「１」のみではなく、それらの中間の値（０＜Ｆｇ＜１）に演算されることもできる。
【００５４】
上述の説明では、カーブの最小曲率半径Ｒｍと実際の車速Ｖｘとから演算される、「カーブを通過できたならば車両に作用するであろう最大横加速度Ｇｙｅ」に基づいてカーブ通過可否判定が行われる。以下に述べるように、この方法とは異なる方法によってカーブ通過の可否を判定することができる。
【００５５】
即ち、車両の位置Ｐｖｈを取得する車両位置取得手段Ａ９が設けられる。これにより、車両位置Ｐｖｈが取得される。車両位置Ｐｖｈは、グローバル・ポジショニング・システムＧＰＳを用いて検出される。
【００５６】
この場合、カーブ情報取得手段Ａ６では、カーブ形状Ｒｃと、そのカーブ形状Ｒｃに対応したカーブ内の位置Ｐｃが取得される。カーブ形状Ｒｃ、カーブ位置Ｐｃ、及び、取得された車両位置Ｐｖｈに基づいて目標車速Ｖｔが演算される。具体的には、カーブ情報Ｒｃ，Ｐｃに基づいてカーブを安定して通過するための適正車速Ｖｑが演算され、この適正車速Ｖｑと車両位置Ｐｖｈとに基づいて、現在の車両位置Ｐｖｈにおける目標車速Ｖｔが演算される。目標車速Ｖｔと車速Ｖｘとが比較され、この比較結果に基づいて、車両がカーブを安定して通過できるか否かが判定される。
【００５７】
車両位置Ｐｖｈにおいて、車速Ｖｘが目標車速Ｖｔ以下の場合、車両はカーブを安定して通過できると判定され得る。一方、車速Ｖｘが目標車速Ｖｔを超過している場合、車両はカーブを安定して通過できないと判定され得る。この場合も前述と同様、カーブ通過可否判定手段Ａ８により、カーブ通過可否の判定値Ｆｇが演算され、この判定値Ｆｇが目標制御量演算手段Ａ４に出力される。判定値Ｆｇは、Ｆｇ＝０のとき「カーブ通過可能」を表し、Ｆｇ＝１のときに「カーブ通過不能」を表す。また、判定値Ｆｇは、「０」又は「１」のみではなく、それらの中間の値（０＜Ｆｇ＜１）に演算されることもできる。
【００５８】
（カーブ通過可否の判定値Ｆｇの演算の一例）
次に、図５を参照しながら、カーブ通過可否判定手段Ａ８によるカーブ通過可否の判定値Ｆｇの演算の一例について詳細に説明する。図５は、前述の横加速度Ｇｙｅを使用して判定値Ｆｇが演算される場合の一例を示す。
【００５９】
最小曲率半径演算ブロックＢ１では、車両の進行方向前方にあるカーブ形状（カーブ曲率半径）Ｒｃに基づいて、カーブの最小曲率半径Ｒｍが演算される。
【００６０】
横加速度演算ブロックＢ２では、最小曲率半径（一定曲率半径一定区間Ｚｉｔの曲率半径）Ｒｍ、及び、現在の車速Ｖｘに基づいて、以下の式を用いて、横加速度Ｇｙｅが演算される。ここで、横加速度Ｇｙｅは、車両が現在の車速Ｖｘ一定でカーブを通過できたならば車両に作用するであろう横加速度の最大値である。
Ｇｙｅ＝Ｖｘ２／Ｒｍ
【００６１】
カーブ通過可否判定演算ブロックＢ３では、車両がカーブを安定して通過可能か否かを表す判定値Ｆｇが、横加速度Ｇｙｅに基づいて演算される。具体的には、横加速度Ｇｙｅが所定値Ｇｙ１以下の場合、車両がカーブを安定して通過できることを表すＦｇ＝０が演算される。横加速度Ｇｙｅが所定値Ｇｙ１より大きく且つ所定値Ｇｙ２未満の場合、横加速度ＧｙｅのＧｙ１からの増加に従って判定値Ｆｇが「０」から増加するように判定値Ｆｇが演算される。横加速度Ｇｙｅが所定値Ｇｙ２以上の場合、車両がカーブを安定して通過できないことを表すＦｇ＝１が演算される。判定値Ｆｇが「０」より大きく「１」未満の場合、車両がカーブを安定して通過できる（通過できない）可能性の程度を表す。具体的には、判定値Ｆｇが大きいほど（「１」に近いほど）カーブ通過の可能性が低く、判定値Ｆｇが小さいほど（「０」に近いほど）カーブ通過の可能性が高いことを表す。
【００６２】
また、図中の一転鎖線で示すように、判定値Ｆｇは、横加速度Ｇｙｅが所定値Ｇｙ３以下の場合にＦｇ＝０（カーブ通過可能）に、横加速度Ｇｙｅが所定値Ｇｙ３より大きい場合にＦｇ＝１（カーブ通過不可）になるように演算され得る。
【００６３】
車両がタイヤと路面との摩擦係数に基づいて決定される横加速度を超えた横加速度をもって旋回することは物理的に不可能である。このため、所定値Ｇｙ１、或いは、Ｇｙ３は、タイヤと路面との摩擦係数を考慮して、０．８Ｇ程度に設定され得る。また、路面摩擦係数μｍａｘを演算して、これに基づいて所定値Ｇｙ１、Ｇｙ２、Ｇｙ３を調整することができる。路面摩擦係数μｍａｘが小さい値に演算される場合、所定値Ｇｙ１、Ｇｙ２、Ｇｙ３が相対的に小さい値に調整され、路面摩擦係数μｍａｘが大きい値に演算される場合、所定値Ｇｙ１、Ｇｙ２、Ｇｙ３が相対的に大きい値に調整され得る。
【００６４】
（カーブ通過可否の判定値Ｆｇの演算の他の例）
次に、図６を参照しながら、カーブ通過可否判定手段Ａ８によるカーブ通過可否の判定値Ｆｇの演算の他の例について詳細に説明する。図６は、前述の目標車速Ｖｔを使用して判定値Ｆｇが演算される場合の一例を示す。
【００６５】
適正車速演算ブロックＢ４では、上述のカーブ情報Ｒｃ，Ｐｃ（カーブ形状（カーブの曲率半径）Ｒｃと、これに対応するカーブの位置Ｐｃ）に基づいて、車両がカーブを安定して通過するための適正車速Ｖｑが演算される。カーブ情報Ｒｃ，Ｐｃに基づいて、カーブ内の曲率半径が一定となる区間（一定曲率半径区間Ｚｉｔ）の曲率半径Ｒｍが決定される。この曲率半径Ｒｍに基づいて適正車速Ｖｑが演算される。曲率半径Ｒｍとして、カーブ内の最小曲率半径が使用されてもよい。カーブ曲率半径Ｒｍが大きいほど適正車速Ｖｑがより大きい値に演算され、曲率半径Ｒｍが小さいほど適正車速Ｖｑがより小さい値に演算される。
【００６６】
更に、適正車速Ｖｑは登降坂勾配Ｋｕｄ、道幅（幅員）Ｗｒｄ、前方の見通しＭｓｋ、及び、車速Ｖｘのうちの少なくとも１つ以上に基づいて調整することができる。登降坂勾配Ｋｕｄが、降り坂のときには平坦路の場合に比較して適正車速Ｖｑが小さく調整され、登り坂のときは平坦路の場合に比較して適正車速Ｖｑが大きく調整される。道幅Ｗｒｄが狭い場合には、広い場合に比較して適正車速Ｖｑが小さく調整され、道幅Ｗｒｄが広い場合には、狭い場合に比較して適正車速Ｖｑが大きく調整される。前方の見通しＭｓｋが悪い場合には、良い場合に比較して適正車速Ｖｑが小さく調整され、前方の見通しＭｓｋが良い場合には、悪い場合に比較して適正車速Ｖｑが大きく調整される。車速Ｖｘが高い場合には、低い場合に比較して適正車速Ｖｑが小さく調整され、車速Ｖｘが低い場合には、高い場合に比較して適正車速Ｖｑが大きく調整される。
【００６７】
路面摩擦係数μｍａｘに基づいて、適正車速Ｖｑを調整することもできる。路面摩擦係数μｍａｘが大きいときには適正車速Ｖｑが大きい値に調整され、路面摩擦係数μｍａｘが小さいときには適正車速Ｖｑが小さい値に調整される。
【００６８】
基準位置設定演算ブロックＢ５では、基準地点Ｐｃｒが決定される。基準地点Ｐｃｒは、車両がカーブを適正に通過できるか否かの判定の基準となる地点であり、車速が適正車速Ｖｑまで減少すべき目標となる地点である。基準地点Ｐｃｒは、カーブ内の曲率半径が一定となる入口地点Ｃｓ（一定曲率半径区間Ｚｉｔにおける車両に最も近い地点）に設定することができる。また、カーブ内の曲率半径が最小となる地点Ｃｓを、基準地点Ｐｃｒとして設定することができる。地点Ｃｓは、カーブ形状Ｒｃ、及び、カーブ位置Ｐｃに基づいて決定される。
【００６９】
地点Ｐｃｒは、一定曲率半径区間の入口地点Ｃｓ、或いは、曲率半径最小地点よりも距離Ｌｐｒだけ車両に近い地点（車両に近い側のカーブへの進入部に当たる緩和曲線の終了部付近）に設定することができる。距離Ｌｐｒは一定値とすることができる。
【００７０】
また、距離Ｌｐｒは車速Ｖｘに応じて演算することができる。具体的には、車速Ｖｘが所定値Ｖｘ１以下では距離Ｌｐｒが「０」とされ（即ち、地点ＰｃｒがＣｓと一致し）、Ｖｘ＞Ｖｘ１（所定値）では、車速ＶｘのＶｘ１からの増加に従って距離Ｌｐｒが「０」から増大するように距離Ｌｐｒが決定され得る。ここで、車速Ｖｘを適正車速Ｖｑに置き換えて、適正車速Ｖｑに基づいて距離Ｌｐｒを決定することができる。
【００７１】
この場合、地点Ｐｃｒは、地点Ｃｓから距離Ｌｐｒだけカーブ開始地点Ｃｉに近いカーブ上の地点に設定される。即ち、地点Ｐｃｒは、距離Ｌｐｒ、カーブ形状Ｒｃ、及び、地点Ｃｓ（カーブ位置Ｐｃ）に基づいて設定される。
【００７２】
上述のように、地点Ｐｃｒは車速が適正車速Ｖｑまで減少すべき目標とされる地点である。ここで、地図情報等には誤差が含まれる場合がある。上記のように地点Ｐｃｒを地点Ｃｓよりもカーブ入口Ｃｉに距離Ｌｐｒだけ近い地点に設定することで、その誤差が吸収され得る。
【００７３】
目標車速演算ブロックＢ６では、目標車速Ｖｔが演算される。具体的には、先ず、基準地点Ｐｃｒ、及び、適正車速Ｖｑに基づいて、車両位置Ｐｖｈにおける目標車速Ｖｔ（Ｖｔ［Ｐｖｈ］）を演算するための目標車速演算特性Ｖｔｃｈが決定される。この目標車速演算特性Ｖｔｃｈとしては、カーブ入口側から基準地点Ｐｃｒまで車速が減速度Ｇｍ（例えば、予め設定された定数）をもって減少していき、基準地点Ｐｃｒで車速が適正車速Ｖｑとなる特性が採用される。
【００７４】
減速度Ｇｍは、路面摩擦係数μｍａｘに基づいて調整することができる。具体的には、路面摩擦係数μｍａｘが大きいときには減速度Ｇｍが大きい値に調整され、路面摩擦係数μｍａｘが小さいときには減速度Ｇｍが小さい値に調整される。そして、基準地点Ｐｃｒ、及び、適正車速Ｖｑに基づいて決定された目標車速演算特性Ｖｔｃｈに、車両位置取得手段（グローバル・ポジショニング・システムＧＰＳ）によって取得された車両位置Ｐｖｈを入力することで、車両位置Ｐｖｈにおける目標車速Ｖｔが演算される。
【００７５】
カーブ通過可否判定演算ブロックＢ７では、車両が前方のカーブを安定して通過可能か否かを表す判定値Ｆｇが演算する。具体的には、車速取得手段Ａ７により取得された車速Ｖｘと目標車速Ｖｔとが比較され、この車速偏差ΔＶ（＝Ｖｘ−Ｖｔ）に基づいて判定値Ｆｇが演算される。
【００７６】
車速偏差ΔＶが所定値Ｖ１以下の場合、車両がカーブを安定して通過できることを表すＦｇ＝０が演算される。車速偏差ΔＶが所定値Ｖ１より大きく且つ所定値Ｖ２未満の場合、ΔＶのＶ１からの増加に従って判定値Ｆｇが「０」から増加するように判定値Ｆｇが演算される。車速偏差ΔＶが所定値Ｖ２以上の場合、車両がカーブを安定して通過できないことを表すＦｇ＝１が演算される。判定値Ｆｇが「０」より大きく、「１」未満の場合、車両がカーブを安定して通過できる（通過できない）可能性の程度を表す。具体的には、判定値Ｆｇが大きいほど（「１」に近いほど）カーブ通過の可能性が低く、判定値Ｆｇが小さいほど（「０」に近いほど）カーブ通過の可能性が高いことを表す。
【００７７】
また、図中の一転鎖線で表すように、判定値Ｆｇは、車速偏差ΔＶが所定値Ｖ３以下の場合にＦｇ＝０（カーブ通過可能）に、ΔＶが所定値Ｖ３より大きい場合にＦｇ＝１（カーブ通過不可）になるように演算され得る。
【００７８】
（目標制御量Ｂｔ**演算）
次に、図７を参照しながら、目標制御量演算手段Ａ４による目標制御量Ｂｔ**の演算の一例について詳細に説明する。
【００７９】
目標旋回状態量演算ブロック（目標ヨーレイト演算ブロック、目標旋回状態量演算手段Ａ２に対応）Ｂ８では、上述の実旋回状態量Ｔａに対応する同じ次元の目標旋回状態量Ｔｄが演算される。例えば、実旋回状態量ＴａがヨーレイトセンサYRによって検出された実際のヨーレイトＹｒである場合、車速Ｖｘ、及び、ステアリングホイール角度θｓｗ（或いは、操向車輪の舵角δｆ）に基づいて目標ヨーレイトＹｒｄが演算される。
【００８０】
比較演算ブロック（ステア特性演算ブロック、ステア特性演算手段Ａ３に対応）Ｂ９では、目標旋回状態量Ｔｄと実旋回状態量Ｔａとが比較され、ステア特性値Ｓｃｈ（＝Ｔｄ−Ｔａ）が演算される。ステア特性値Ｓｃｈは、車両のステア特性（アンダステア、オーバステア）の程度を表す値である。ステア特性値Ｓｃｈが概ね「０」の場合、車両はニュートラルステアである。Ｓｃｈ＜０である場合、車両はオーバステアであり、ステア特性値Ｓｃｈの絶対値が大きいほどオーバステアの程度が大きい。一方、Ｓｃｈ＞０である場合、車両はアンダステアであり、ステア特性値Ｓｃｈが大きいほどアンダステアの程度が大きい。
【００８１】
例えば、ステア特性値Ｓｃｈがヨーレイトで表される場合、目標ヨーレイトＹｒｄと実ヨーレイトＹｒとが比較され、車両のステア特性（アンダステア、オーバステア等）を表すヨーレイト偏差ΔＹｒ（＝Ｙｒｄ−Ｙｒ）が出力される。ヨーレイト偏差ΔＹｒが概ね「０」である場合、車両はニュートラルステアである。ΔＹｒ＜０である場合、車両はオーバステアであり、ΔＹｒの絶対値が大きいほどオーバステアの程度が大きい。一方、ΔＹｒ＞０である場合、車両はアンダステアであり、ΔＹｒが大きいほどアンダステアの程度が大きい。
【００８２】
車両がオーバステアの場合、ステア特性値Ｓｃｈ（例えば、ヨーレイト偏差ΔＹｒ）は、公知のオーバステア抑制制御の目標制御量演算ブロックＢ１０に入力される。一方、車両がアンダステアの場合、ステア特性値Ｓｃｈ（例えば、ヨーレイト偏差ΔＹｒ）は、本発明に係るアンダステア抑制制御の目標制御量演算ブロックＢ１１に入力される。この目標制御量演算ブロックＢ１１が目標制御量演算手段Ａ４の一部に対応する。
【００８３】
アンダステア抑制制御の目標制御量演算ブロックＢ１１内における制御開始しきい値演算ブロックＢ１２では、上述の判定結果（判定値）Ｆｇに基づいて、しきい値Ｋｊが演算される。判定結果Ｆｇが所定値Ｆ１（０＜Ｆ１＜１）以下の場合、しきい値Ｋｊが所定値Ｋ２に設定される。所定値Ｋ２は、デフォルト値（初期値）として通常設定される値である。また、判定結果Ｆｇが所定値Ｆ２（Ｆ１＜Ｆ２＜１）以上の場合、しきい値Ｋｊが所定値Ｋ１（＜Ｋ２）に演算される。判定結果Ｆｇが所定値Ｆ１より大きく且つ所定値Ｆ２より小さい場合、判定結果Ｆｇが増加するほどしきい値Ｋｊがより小さい値に演算される。
【００８４】
また、図中の一転鎖線で示すように、判定結果Ｆｇが所定値Ｆ３以下の場合にＫｊ＝Ｋ２に、判定結果Ｆｇが所定値Ｆ３よりも大きい場合にＫｊ＝Ｋ１（＜Ｋ２）になるようにしきい値Ｋｊが演算され得る。
【００８５】
以上のように、車両がカーブを適切に通過できると判定された場合、しきい値Ｋｊが大きい値（通常のデフォルト値Ｋ２）に設定される。一方、車両がカーブを適切に通過できないと判定された場合、しきい値Ｋｊが相対的に小さい値に調整される。これにより、アンダステア抑制制御が開始され易くなる。
【００８６】
このように判定結果Ｆｇに基づいて演算されたしきい値Ｋｊは、目標制御量演算ブロックＢ１１内における制御量特性選択演算ブロックＢ１３に対して出力される。制御量特性選択演算ブロックＢ１３では、「旋回内向きに作用するヨーイングモーメントが増大して車両が進行する向きが変わり易くなるように各輪の制動力が配分される」第１特性（モーメント重視特性）演算ブロックＢ１４と、「車両の旋回を維持するヨーイングモーメントが確保できる範囲内で各輪の制動力の総和が最大となって車両が十分に減速され得るように各輪の制動力が配分される」第２特性（減速度重視特性）演算ブロックＢ１５と、の２つの演算ブロックが含まれている。しきい値Ｋｊに基づいて、第１、第２特性の制御開始しきい値が設定される。本例では、第１、第２特性の制御開始しきい値が共に、しきい値Ｋｊと等しい値に設定される。
【００８７】
第１特性では、ステア特性値Ｓｃｈ（例えば、ヨーレイト偏差ΔＹｒ）に基づいて、車両のヨー特性を重視する（減速よりもヨーモーメント付与を優先する）目標制御量Ｂｍ**が演算される。車両に旋回内向きのヨーイングモーメントを増大するため、旋回内側後輪（図中で「ｒｉ」で表す）について、ステア特性値Ｓｃｈ（例えば、ヨーレイト偏差ΔＹｒ）の増加に応じて目標制御量Ｂｍ**が増加するように目標制御量Ｂｍ**が演算される。また、旋回内側前輪（図中で「ｆｉ」で表す）について、ステア特性値Ｓｃｈ（例えば、ヨーレイト偏差ΔＹｒ）の増加に応じて目標制御量Ｂｍ**が増加するように目標制御量Ｂｍ**が演算される。この第１特性が、デフォルト特性（初期特性）として、通常設定されている。
【００８８】
第２特性では、ステア特性値Ｓｃｈ（例えば、ヨーレイト偏差ΔＹｒ）に基づいて、車両の減速特性を重視する（ヨーモーメント付与よりも減速を優先する）目標制御量Ｂｇ**が演算される。車両のヨーイングモーメントを確保しつつ、減速度を増大するため、旋回外側前輪（図中で「ｆｏ」で表す）、旋回外側後輪（図中で「ｆｉ」で表す）、及び、旋回内側後輪（図中で「ｒｉ」で表す）において、ヨーレイト偏差ΔＹｒの増加に応じて目標制御量Ｂｇ**が増加するように目標制御量Ｂｇ**が演算される。
【００８９】
目標制御量演算ブロックＢ１１内における切替演算ブロックＢ１６では、判定結果Ｆｇに基づいて目標制御量Ｂｍ**、及び目標制御量Ｂｇ**の何れか一方が、最終的な目標制御量Ｂｔ**として選択される。具体的には、判定結果Ｆｇが「０」、或いは、所定値Ｆ０以下である場合、即ち、車両が安定して前方のカーブを通過できる（或いは、その可能性が高い）と判定された場合、目標制御量Ｂｍ**が、目標制御量Ｂｔ**として選択される。一方、判定結果Ｆｇが「１」、或いは、所定値Ｆ０よりも大きい場合、即ち、車両が安定して前方のカーブを通過できない（或いは、できる可能性が低い）と判定された場合、目標制御量Ｂｇ**が、目標制御量Ｂｔ**として選択される。
【００９０】
このように、車両がカーブを適切に通過できない（或いは、できる可能性が低い）と判定された場合、目標制御量を演算する特性が第１特性から第２特性に変更される。そのため、アンダステア抑制制御が開始され易くなり、更には、より大きい減速度が得られる特性に変更される。このため、車両がカーブを安定して通過することができる。
【００９１】
（目標制御量Ｂｔ**に基づく車輪ブレーキの制御）
次に、図８を参照しながら、制御手段Ａ５の車輪ブレーキ制御手段Ａ５２による車輪ブレーキ制御について詳細に説明する。
【００９２】
車輪ブレーキ制御手段Ａ５２では、目標制御量Ｂｔ**に基づいて車輪ブレーキ手段Ａ６が制御される。車輪ブレーキ制御手段Ａ５２として、例えば、制動圧力を制御する電気モータ、ポンプ、ソレノイドバルブ等で構成される公知の手段を用いることができる。車輪ブレーキ手段Ａ６として、例えば、ブレーキキャリパ、ロータ、パッド等で構成される公知の手段を用いることができる。
【００９３】
車輪ブレーキ手段Ａ６、或いは、車輪ブレーキ制御手段Ａ５２には、目標制御量Ｂｔ**に対応した実際値を検出するセンサが備えられる。例えば、目標制御量Ｂｔ**が車輪スリップで与えられる場合には車輪速度センサ、制動圧力で与えられる場合には圧力センサ、制動トルクで与えられる場合にはトルクセンサが備えられる。車輪ブレーキ制御手段Ａ５２により、前記センサで検出された実際の制御量Ｂａ**と目標制御量Ｂｔ**とに基づいて、各車輪の制動力（制動トルク）が制御される。
【００９４】
以上、本発明の実施形態に係る車両安定化制御装置によれば、ナビゲーション装置NAVの地図情報MAPに基づくカーブ情報（カーブ形状）Ｒｃと、現在の車速Ｖｘとに基づいて、カーブ進入前後において、車両がカーブを安定して通過できる可能性（Ｆｇ）が判定される。車両がカーブを適切に通過できると判定された場合（Ｆｇ＝０）、アンダステア抑制制御の開始しきい値Ｋｊが大きい値（デフォルト値Ｋ２）に設定され、且つ、車両のヨー特性が重視される（減速よりもヨーモーメント付与が優先される）ように各車輪の制動力が配分される第１特性（デフォルト特性Ｂｍ**）が選択される。これにより、アンダステア抑制制御が開始され難くなり、アンダステア抑制制御が不必要に頻繁に開始されることが抑制される。また、アンダステア抑制制御開始後には、車両のヨー運動特性が向上し、アンダステアが効果的に抑制され得る。
【００９５】
一方、車両がカーブを適切に通過できないと判定された場合（Ｆｇ＝１）、しきい値Ｋｊが相対的に小さい値（Ｋ１）に調整され、且つ、車両の減速特性が重視される（ヨーモーメント付与よりも減速が優先される）ように各車輪の制動力が配分される第２特性（Ｂｇ**）が選択される。これにより、車両がカーブを適切に通過できないと判定された場合、アンダステア抑制制御が開始され易くなり、更には、アンダステア抑制制御開始後には、より大きい減速度が得られる。このため、車両が効果的に減速され得、この結果、車両がカーブを安定して通過することができる。
【００９６】
本発明は上記実施形態に限定されることはなく、本発明の範囲内において種々の変形例を採用することができる。例えば、上記実施形態では、カーブ情報が正確であることが前提とされてきた。しかしながら、カーブ情報が地図データベースに格納された後、道路の改修等により道路形状が変更されたにもかかわらず地図データベースが更新されない場合が発生し得る。そのため、カーブ通過可否判定の精度が低下する場合がある。
【００９７】
そこで、カーブ通過可否判定を精度良く行うため、車両の実旋回状態量Ｔａに基づいてカーブ情報（カーブの曲率半径）を評価し、カーブ情報が適切である場合にのみ、しきい値Ｋｊの調整、並びに、目標制御量Ｂｔ（添字「**」は記号が何れの車輪に関するものであるかを示し、「fl」は左前輪、「fr」は右前輪、「rl」は左後輪、「rr」は右後輪を示す）の演算特性（Ｂｍ**，Ｂｇ**）の切り替え（以下、「制御パラメータ調整」と称呼する。）を行うことが好ましい。以下、図９を参照しながら、この場合の処理について詳細に説明する。
【００９８】
カーブ曲率半径演算ブロックＢ１７では、車両位置Ｐｖｈにおけるカーブの曲率半径Ｒｖｈが演算される。具体的には、先ず、前述のカーブ情報Ｒｃ，Ｐｃに基づいてカーブ内における位置Ｐｃと曲率半径Ｒｃとの関係（曲率半径演算特性）Ｒｃｈが演算される。曲率半径演算特性Ｒｃｈは、予め記憶された道路上の複数の点（ノード点）の位置を幾何学的に滑らかに繋いで得られる曲線に基づいて推定することができる（例えば、特許３３７８４９０号公報を参照）。或いは、曲率半径演算特性Ｒｃｈは、緩和曲線（例えば、クロソイド曲線）を表す関数、及び、パラメータ等を用いて地図情報のデータベース内に記憶することができる。
【００９９】
曲率半径演算特性Ｒｃｈに基づいて、車両位置Ｐｖｈにおけるカーブ曲率半径Ｒｖｈが演算される。即ち、位置と曲率半径との関係で定義される曲率半径演算特性Ｒｃｈに車両位置Ｐｖｈを入力することによって、車両位置Ｐｖｈにおけるカーブ曲率半径Ｒｖｈが演算される。
【０１００】
計算旋回状態量演算ブロックＢ１８では、演算された曲率半径Ｒｖｈに基づいて計算旋回状態量Ｔｅが演算される。計算旋回状態量Ｔｅとして、以下の状態量を演算することができる。
計算横加速度 Ｇｙｅ＝Ｖｘ２／Ｒｖｈ
計算ヨーレイト Ｙｒｅ＝Ｖｘ／Ｒｖｈ
計算操舵角度 δｆｅ＝〔Ｌ・（１＋Ｋｈ・Ｖｘ２）〕／Ｒｖｈ
計算ステアリングホイール角度 θｓｗｅ＝〔ＳＧ・Ｌ・（１＋Ｋｈ・Ｖｘ２）〕／Ｒｖｈ
計算車輪速度差 ΔＶｗｅ＝（Ｔｒ・Ｖｘ）／Ｒｖｈ
計算方位角Ｙａｅ（カーブ入口手前の直線部の方向に対する車両位置Ｐｖｈにおけるカーブの接線方向）
ここで、Ｋｈはスタビリティファクタ、Ｌは車両のホイールベース、Ｔｒは車両のトレッド、ＳＧは車両のステアリングギア比である。
【０１０１】
計算旋回指標演算ブロックＢ１９では、計算旋回状態量Ｔｅに基づいて計算旋回指標Ｓｅが演算される。上述のように演算されたカーブ曲率半径Ｒｖｈそのものを計算旋回指標Ｓｅとすることができる。更には、上述のそれぞれの計算旋回指標Ｓｅのうちで、２つ以上を組み合わせて計算旋回指標Ｓｅを演算することができる。
【０１０２】
実旋回指標演算ブロックＢ２０では、実旋回状態量Ｔａに基づいて実旋回指標Ｓａが演算される。実旋回指標Ｓａ及び計算旋回指標Ｓｅとして、同じ（次元の）物理量（状態量）が演算される。例えば、計算旋回指標Ｓｅがカーブ曲率半径Ｒｖｈである場合、計算旋回指標Ｓｅに対応する実旋回指標Ｓａとして、実旋回状態量Ｔａに基づいてカーブ曲率半径Ｒｔａが演算される。Ｒｔａは、以下の何れかの演算により取得され得る。
Ｒｔａ＝Ｖｘ２／Ｇｙａ
Ｒｔａ＝Ｖｘ／Ｙｒａ
Ｒｔａ＝〔Ｌ・（１＋Ｋｈ・Ｖｘ２）〕／δｆａ
Ｒｔａ＝〔ＳＧ・Ｌ・（１＋Ｋｈ・Ｖｘ２）〕／θｓｗａ
ここで、Ｋｈはスタビリティファクタ、Ｌは車両のホイールベース、ＳＧは車両のステアリングギア比である。
【０１０３】
比較演算ブロックＢ２１では、計算旋回指標Ｓｅと実旋回指標Ｓａとが比較される。比較結果Ｓｈとして、実旋回指標Ｓａと計算旋回指標Ｓｅとの偏差の絶対値（旋回指標偏差）を使用することができる。
【０１０４】
可否判定演算ブロックＢ２２では、旋回指標偏差Ｓｈに基づいて、上述の「制御パラメータ調整」を許可するか否かが判定される。
【０１０５】
具体的には、旋回指標偏差Ｓｈが所定値Ｓｈ１以下である場合、カーブ情報が適切であると判断され、制御フラグＳｍ，Ｓｎに「１（実行許可）」が出力される。この結果、「制御パラメータ調整」の実行が許可される。一方、偏差Ｓｈが所定値Ｓｈ１より大きくなった場合、カーブ情報が不適切と判断され、制御フラグＳｍ，Ｓｎに「０（実行禁止）」が出力される。この結果、「制御パラメータ調整」の実行が禁止される。ここで、Ｓｍ，Ｓｎは、「制御パラメータ調整」の実行の禁止・許可を表す制御フラグであり、「０」は調整の実行の禁止、「１」は調整の実行の許可を表す。
【０１０６】
「制御パラメータ調整」の実行が既に許可されている場合については、偏差Ｓｈが所定値Ｓｈ２以下である場合、カーブ情報が適切である判断され、制御フラグＳｍ，Ｓｎに「１（実行許可）」が出力される。この結果、「制御パラメータ調整」の実行が継続して許可される。一方、偏差Ｓｈが所定値Ｓｈ２より大きくなった場合、カーブ情報が不適切と判断され、制御フラグＳｍ，Ｓｎに「０（実行禁止）」が出力される。この結果、「制御パラメータ調整」の実行が禁止される。
【０１０７】
可否判定演算ブロックＢ２２からは、制御フラグＳｍが、目標制御量演算ブロックＢ１１内における制御開始条件演算ブロックＢ２３内のしきい値Ｋｊの切替演算ブロックＢ２４に出力される。制御フラグＳｎは、目標制御量演算ブロックＢ１１内における制御量特性選択演算ブロックＢ２５内の目標制御量の切替演算ブロックＢ２６に出力される。
【０１０８】
しきい値Ｋｊの切替演算ブロックＢ２４では、Ｓｍ＝０（禁止）のときには、Ｋｊ＝Ｋ２（デフォルト値）が選択され、Ｓｍ＝１（許可）のときには、判定結果Ｆｇに基づいてブロックＢ１２（図７を参照）で演算されるしきい値Ｋｊが選択され、選択されたしきい値Ｋｊが制御量特性選択演算ブロックＢ２５に出力される。
【０１０９】
目標制御量の切替演算ブロックＢ２６では、Ｓｎ＝０（禁止）のときには、第１特性（デフォルト特性、ヨーモーメント重視の特性）が選択され、Ｓｎ＝１（許可）のときには、判定結果Ｆｇに基づいて選択される特性が選択される。
【０１１０】
以上のように、実旋回状態量Ｔａから得られる実旋回指標Ｓａと、カーブ情報Ｒｃ，Ｐｃに基づいて推定される計算旋回状態量Ｔｅから得られる計算旋回指標Ｓｅとを比較することで、地図情報等から得られるカーブ情報の適否が確認され得る。そして、カーブ情報が適切な場合（Ｓｍ，Ｓｎ＝１の場合）にのみ、「制御パラメータ調整」（具体的には、しきい値Ｋｊの調整、並びに、目標制御量Ｂｔ**の演算特性の切り替え）が許可される。従って、カーブ情報が不適切な場合において、「制御パラメータ調整」がなされて車両が不必要に減速される事態の発生が抑制され得る。
【０１１１】
また、上記実施形態においては、図１０に示すように、セルフアライニングトルク取得手段Ａ８（セルフアライニングトルクセンサATf*）によって取得される車輪のセルフアライニングトルクＳａｔに基づいて、路面摩擦係数演算ブロックＢ２７にて、路面摩擦係数μｍａｘの演算を行うことができる。
【０１１２】
車輪の横力が増大していく過程において、セルフアライニングトルクＳａｔも増大していく。この過程において、横力が飽和する状態（即ち、旋回限界状態）に達する前にセルフアライニングトルクＳａｔが最大値となる。このため、車両の旋回が限界に達する前に路面摩擦係数μｍａｘを推定することができる。
【０１１３】
セルフアライニングトルクＳａｔの検出については、例えば、特開２００８−２４０７３号公報、特開２００７−２４５９０１号公報、特開２００４−２３３３３１号公報等に記載された公知の手法の１つを用いることができる。また、セルフアライニングトルクに基づく路面摩擦係数μｍａｘの演算についても、例えば、特開２００７−２４５９０１号公報等に記載された公知の手法の１つを利用することができる。
【０１１４】
路面摩擦係数演算ブロックＢ２７にて、取得されたセルフアライニングトルクＳａｔに基づいて路面摩擦係数μｍａｘが演算される。演算された路面摩擦係数μｍａｘは、適正車速演算ブロックＢ２８での適正車速Ｖｑ（図６を参照）の演算や、目標車速演算ブロックＢ２９での減速特性（減速度）Ｇｍ（図６を参照）の演算に利用され得る。
【図面の簡単な説明】
【０１１５】
【図１】本発明の実施形態に係る車両安定化制御装置を搭載した車両の概略構成図である。
【図２】カーブの形状の一例を示した図である。
【図３】図２に示したカーブについての曲率半径と旋回状態量の変化の一例を示した図である。
【図４】図１に示した安定化制御装置が実行する安定化制御の概要を説明するための機能ブロック図である。
【図５】図４に示したカーブ通過可否判定手段によるカーブ通過可否の判定値の演算の一例を説明するための機能ブロック図である。
【図６】図４に示したカーブ通過可否判定手段によるカーブ通過可否の判定値の演算の他の例を説明するための機能ブロック図である。
【図７】図４に示した目標制御量演算手段による目標制御量の演算の一例を説明するための機能ブロック図である。
【図８】図４に示した制御手段の車輪ブレーキ制御手段による車輪ブレーキ制御について説明するための機能ブロック図である。
【図９】本発明の実施形態の変形例に係る車両安定化制御装置による、カーブ情報の適否判定、しきい値の調整、並びに、目標制御量の演算特性の切り替えについての処理の一例を説明するための機能ブロック図である。
【図１０】本発明の実施形態の変形例に係る車両安定化制御装置により、セルフアライニングトルクにより路面摩擦係数が演算される場合の処理の一例を説明するための機能ブロック図である。
【符号の説明】
【０１１６】
AP…アクセルペダル、BP…ブレーキペダル、WS**…車輪速度センサ、PW**…制動圧力センサ、SA…ステアリングホイール角度センサ、YR…ヨーレイトセンサ、GY…横加速度センサ、EG…エンジン、TM…変速機、BRK…ブレーキアクチュエータ、ECU…電子制御ユニット、NAV…ナビゲーション装置、GPS…グローバル・ポジショニング・システム、MAP…記憶部
【図１】
2010105453.tif 000003
【図２】
2010105453.tif 000004
【図３】
2010105453.tif 000005
【図４】
2010105453.tif 000006
【図５】
2010105453.tif 000007
【図６】
2010105453.tif 000008
【図７】
2010105453.tif 000009
【図８】
2010105453.tif 000010
【図９】
2010105453.tif 000011
【図１０】
2010105453.tif 000012